(57)【特許請求の範囲】
【請求項１】
本線；
前記本線の両端部に取り付けられ、重りまたは前記本線とは別個の追加本線を連結する連結具；
一端部が前記本線に沿ってそれぞれ第１間隔で配置され、他端部が釣り針を備えた複数の枝線；
一端部が前記追加本線に沿ってそれぞれ第１間隔で配置され、他端部が釣り針を備えた複数の追加枝線；及び
前記本線の端部に備えられた連結具に隣り合う前記枝線の一端部と前記連結具に着脱可能に結合するように前記追加本線の端部に備えられた締結具に隣り合う前記追加枝線の一端部との間の間隔が前記第１間隔と同じ第２間隔となるように、前記本線及び前記追加本線の長手方向に沿って移動可能な間隔決定ユニット；を含み、
前記間隔決定ユニットは、
前記本線及び前記追加本線に備えられ、前記枝線及び前記追加枝線が連結される連結子と、
前記連結子の両側または一側に備えられ、前記連結子が前記本線及び前記追加本線に沿って移動することを制限する固定子とを含み、
前記固定子は、
一側端部が互いにヒンジ連結され、他側端部が開閉可能であり、互いに結合して前記本線及び前記追加本線に密着して固定させる一対の固定本体と、
前記一対の固定本体の一方に備えられ、前記一対の固定本体の他方に着脱可能に結合される固定具とを含むことを特徴とする、釣り仕掛け。
【請求項２】
本線；
前記本線の両端部に取り付けられ、重りまたは前記本線とは別個の追加本線を連結する連結具；
一端部が前記本線に沿ってそれぞれ第１間隔で配置され、他端部が釣り針を備えた複数の枝線；
一端部が前記追加本線に沿ってそれぞれ第１間隔で配置され、他端部が釣り針を備えた複数の追加枝線；及び
前記本線の端部に備えられた連結具に隣り合う前記枝線の一端部と前記連結具に着脱可能に結合するように前記追加本線の端部に備えられた締結具に隣り合う前記追加枝線の一端部との間の間隔が前記第１間隔と同じ第２間隔となるように、前記本線及び前記追加本線の長手方向に沿って移動可能な間隔決定ユニット；を含み、
前記間隔決定ユニットは、
前記本線及び前記追加本線に備えられ、前記枝線及び前記追加枝線が連結される第１及び第２連結子と、
前記第１及び第２連結子の両側または一側にそれぞれ備えられ、前記第１及び第２連結子が前記本線及び前記追加本線に沿って移動することを制限する固定子とを含み、
前記連結具の端部と前記連結具に隣り合う前記枝線の一端部との間の第３間隔は、前記締結具の端部と前記締結具に隣り合う前記追加枝線の一端部との間の第４間隔より小さく、
前記第１連結子は前記連結具と前記固定子との間に配置され、前記第２連結子は一対の前記固定子の間に配置され、
前記第１連結子と前記第２連結子は前記第２間隔で配置され、
前記固定子は、
一側端部が互いにヒンジ連結され、他側端部が開閉可能であり、互いに結合して前記本線及び前記追加本線に密着して固定させる一対の固定本体と、
前記一対の固定本体の一方に備えられ、前記一対の固定本体の他方に着脱可能に結合される固定具とを含むことを特徴とする、釣り仕掛け。
【請求項３】
本線；
前記本線の両端部に取り付けられ、重りまたは前記本線とは別個の追加本線を連結する連結具；
一端部が前記本線に沿ってそれぞれ第１間隔で配置され、他端部が釣り針を備えた複数の枝線；
一端部が前記追加本線に沿ってそれぞれ第１間隔で配置され、他端部が釣り針を備えた複数の追加枝線；及び
前記本線の端部に備えられた連結具に隣り合う前記枝線の一端部と前記連結具に着脱可能に結合するように前記追加本線の端部に備えられた締結具に隣り合う前記追加枝線の一端部との間の間隔が前記第１間隔と同じ第２間隔となるように、前記本線及び前記追加本線の長手方向に沿って移動可能な間隔決定ユニット；を含み、
前記間隔決定ユニットは、
前記本線及び前記追加本線に備えられ、前記枝線及び前記追加枝線が連結される第１及び第２連結子と、
前記第１及び第２連結子の両側または一側にそれぞれ備えられ、前記第１及び第２連結子が前記本線及び前記追加本線に沿って移動することを制限する固定子とを含み、
前記連結具の端部と前記連結具に隣り合う前記枝線の一端部との間の第３間隔は、前記締結具の端部と前記締結具に隣り合う前記追加枝線の一端部との間の第４間隔より大きく、
前記第１連結子は一対の前記固定子の間に配置され、前記第２連結子は前記締結具と前記固定子との間に配置され、
前記第１連結子と前記第２連結子は前記第２間隔で配置され、
前記固定子は、
一側端部が互いにヒンジ連結され、他側端部が開閉可能であり、互いに結合して前記本線及び前記追加本線に密着して固定させる一対の固定本体と、
前記一対の固定本体の一方に備えられ、前記一対の固定本体の他方に着脱可能に結合される固定具とを含むことを特徴とする、釣り仕掛け。
【請求項４】
本線；
前記本線の両端部に取り付けられ、重りまたは前記本線とは別個の追加本線を連結する連結具；
一端部が前記本線に沿ってそれぞれ第１間隔で配置され、他端部が釣り針を備えた複数の枝線；
一端部が前記追加本線に沿ってそれぞれ第１間隔で配置され、他端部が釣り針を備えた複数の追加枝線；及び
前記本線の端部に備えられた連結具に隣り合う前記枝線の一端部と前記連結具に着脱可能に結合するように前記追加本線の端部に備えられた締結具に隣り合う前記追加枝線の一端部との間の間隔が前記第１間隔と同じ第２間隔となるように、前記本線及び前記追加本線の長手方向に沿って移動可能な間隔決定ユニット；を含み、
前記間隔決定ユニットは、
前記本線及び前記追加本線に備えられ、前記枝線及び前記追加枝線が連結される第１及
び第２連結子と、
前記第１及び第２連結子の両側または一側にそれぞれ備えられ、前記第１及び第２連結子が前記本線及び前記追加本線に沿って移動することを制限する固定子とを含み、
前記連結具の端部と前記連結具に隣り合う前記枝線の一端部との間の第３間隔は、前記締結具の端部と前記締結具に隣り合う前記追加枝線の一端部との間の第４間隔より小さくまたは大きく、
前記第１及び第２連結子は一対の前記固定子の間に配置され、
前記第１連結子と前記第２連結子は前記第２間隔で配置され、
前記固定子は、
一側端部が互いにヒンジ連結され、他側端部が開閉可能であり、互いに結合して前記本線及び前記追加本線に密着して固定させる一対の固定本体と、
前記一対の固定本体の一方に備えられ、前記一対の固定本体の他方に着脱可能に結合される固定具とを含むことを特徴とする、釣り仕掛け。
【請求項５】
前記一対の固定本体は互いに結合して、全体として球状、楕円球状、円柱状または角柱状をなすことを特徴とする、請求項１から４のいずれか１項に記載の釣り仕掛け。
【請求項６】
前記固定本体は、
前記固定具を備えた第１片と、
前記第１片の形成方向に沿って前記第２片と対向する面に陷沒した第１溝と、
前記第１片の一側端部に回動可能に連結される第２片と、
前記第２片の形成方向に沿って前記第１片と対向する面に陷沒した第２溝とを含み、
前記第１及び第２片が互いに結合して、前記第１溝と前記第２溝がそれぞれ前記本線及び追加本線に密着することを特徴とする、請求項１から４のいずれか１項に記載の釣り仕掛け。
【請求項７】
前記固定具は、
前記一対の固定本体の一方から突出した屈曲可能な延長棒と、
前記延長棒の形状に対応するように前記一対の固定本体の他方に形成される延長孔部と、
前記延長棒の端部に備えられ、前記延長棒の直径より大径を持つ固定膨出部と、
前記固定膨出部の形状に対応するように前記延長孔部の端部から延設され、前記一対の固定本体の他方に形成される固定収容部と、
前記固定膨出部の端部から伸び、前記延長孔部及び前記固定収容部に一時固定される臨時固定棒と、
前記臨時固定棒の形状に対応するように前記固定収容部から延設される最終固定孔部とを含むことを特徴とする、請求項１から４のいずれか１項に記載の釣り仕掛け。
【発明の詳細な説明】
【技術分野】
【０００１】
本発明は釣り仕掛けに係り、より詳しくは本線に追加本線を連結して使っても枝線及び追加枝線を一定の間隔で装着することができるようにした釣り仕掛けに関する。
【背景技術】
【０００２】
一般に、釣り仕掛けは、釣り竿の釣糸に連結される本線に一定の間隔で配置され、釣り針が取り付けられる枝線と、本線の端部に重りまたは他の本線が連結されるようにする連結具とを含む。
【０００３】
このような釣り仕掛けを使用する場合、漁獲量の豊かな漁場では本線にさらに別途の本線を連結して対象魚を攻略することができるようにした。
【０００４】
しかし、本線の枝線と接するさらに他の本線の枝線間の間隔で対象魚を捕獲する枝線の空白が生じるため、漁獲量の多い漁場で集約的な捕獲が難しい問題点があった。
【０００５】
また、空白が生じた間隔で枝線を付け加えるためには、使用者が手作業で結び目を作って枝線を付け加えなければならない煩わしさがあった。
【０００６】
したがって、前記のような点に鑑み、本線に追加本線を連結して使っても枝線及び追加枝線を一定の間隔で装着することができる装置の開発が切実なものである。
【先行技術文献】
【特許文献】
【０００７】
【特許文献１】大韓民国実用新案出願第２０−１９９４−００３５８４４号明細書
【特許文献２】大韓民国実用新案出願第２０−２００３−００１８２７８号明細書
【発明の概要】
【発明が解決しようとする課題】
【０００８】
本発明は前記のような問題点を改善するためになされたもので、本線に追加本線を連結して使っても枝線及び追加枝線を一定の間隔で装着することができるようにした釣り仕掛けを提供することをその目的とする。
【課題を解決するための手段】
【０００９】
前記のような目的を達成するために、本発明は、本線；前記本線の両端部に取り付けられ、重りまたは前記本線とは別個の追加本線を連結する連結具；一端部が前記本線に沿ってそれぞれ第１間隔で配置され、他端部が釣り針を備えた複数の枝線；一端部が前記追加本線に沿ってそれぞれ第１間隔で配置され、他端部が釣り針を備えた複数の追加枝線；及び前記本線の端部に備えられた連結具に隣り合う前記枝線の一端部と前記連結具に着脱可能に結合するように前記追加本線の端部に備えられた締結具に隣り合う前記追加枝線の一端部との間の間隔が前記第１間隔と同じな前記第２間隔となるように、前記本線及び前記追加本線の長手方向に沿って移動可能な間隔決定ユニット；を含むことを特徴とする、釣り仕掛けを提供する。
【００１０】
前記間隔決定ユニットは、前記本線及び前記追加本線に備えられ、前記枝線及び前記追加枝線が連結される連結子と、前記連結子の両側または一側に備えられ、前記連結子が前記本線及び前記追加本線に沿って移動することを制限する固定子とを含むことができる。
【００１１】
前記間隔決定ユニットは、前記本線及び前記追加本線に備えられ、前記枝線及び前記追加枝線が連結される第１及び第２連結子と、前記第１及び第２連結子の両側または一側にそれぞれ備えられ、前記第１及び第２連結子が前記本線及び前記追加本線に沿って移動することを制限する固定子とを含み、前記連結具の端部と前記連結具に隣り合う前記枝線の一端部との間の第３間隔は、前記締結具の端部と前記締結具に隣り合う前記追加枝線の一端部との間の第４間隔より小さく、前記第１連結子は前記連結具と前記固定子との間に配置され、前記第２連結子は一対の前記固定子の間に配置され、前記第１連結子と前記第２連結子は前記第２間隔で配置されることができる。
【００１２】
前記間隔決定ユニットは、前記本線及び前記追加本線に備えられ、前記枝線及び前記追加枝線が連結される第１及び第２連結子と、前記第１及び第２連結子の両側または一側にそれぞれ備えられ、前記第１及び第２連結子が前記本線及び前記追加本線に沿って移動することを制限する固定子とを含み、前記連結具の端部と前記連結具に隣り合う前記枝線の一端部との間の第３間隔は、前記締結具の端部と前記締結具に隣り合う前記追加枝線の一端部との間の第４間隔より大きく、前記第１連結子は一対の前記固定子の間に配置され、前記第２連結子は前記締結具と前記固定子との間に配置され、前記第１連結子と前記第２連結子は前記第２間隔で配置されることができる。
【００１３】
前記間隔決定ユニットは、前記本線及び前記追加本線に備えられ、前記枝線及び前記追加枝線が連結される第１及び第２連結子と、前記第１及び第２連結子の両側または一側にそれぞれ備えられ、前記第１及び第２連結子が前記本線及び前記追加本線に沿って移動することを制限する固定子とを含み、前記連結具の端部と前記連結具に隣り合う前記枝線の一端部との間の第３間隔は、前記締結具の端部と前記締結具に隣り合う前記追加枝線の一端部との間の第４間隔より小さいとか大きく、前記第１及び第２連結子は一対の前記固定子の間に配置され、前記第１連結子と前記第２連結子は前記第２間隔で配置されることができる。
【００１４】
前記固定子は、一側端部が互いに互いにヒンジ連結され、他側端部が開閉可能であり、互いに結合して前記本線及び前記追加本線に密着して固定させる一対の固定本体と、前記一対の固定本体の一方に備えられ、前記一対の固定本体の他方に着脱可能に結合される固定具とを含むことができる。
【００１５】
前記一対の固定本体は互いに結合して、全体として球状、楕円球状、円柱状または角柱状をなすことができる。
【００１６】
前記固定本体は、前記固定具を備えた第１片と、前記第１片の形成方向に沿って前記第２片と対向する面に陷沒した第１溝と、前記第１片の一側端部に回動可能に連結される第２片と、前記第２片の形成方向に沿って前記第１片と対向する面に陷沒した第２溝とを含み、前記第１及び第２片が互いに結合して、前記第１溝と前記第２溝がそれぞれ前記本線及び追加本線に密着することができる。
【００１７】
前記固定具は、前記一対の固定本体の一方から突出した屈曲可能な延長棒と、前記延長棒の形状に対応するように前記一対の固定本体の他方に形成される延長孔部と、前記延長棒の端部に備えられ、前記延長棒の直径より大径を持つ固定膨出部と、前記固定膨出部の形状に対応するように前記延長孔部の端部から延設され、前記一対の固定本体の他方に形成される固定収容部と、前記固定膨出部の端部から伸び、前記延長孔部及び前記固定収容部に一時固定される臨時固定棒と、前記臨時固定棒の形状に対応するように前記固定収容部から延設される最終固定孔部とを含むことができる。
【発明の効果】
【００１８】
前記のような構成の本発明によれば、本線に追加本線を連結して使っても、本線と連結された追加本線において、締結具と追加枝線の一端部との距離及び連結具と枝線の一端部との距離を第１間隔とほぼ同じな第２間隔となるように間隔決定ユニットが補助することになるので、枝線及び追加枝線を一定の間隔で装着することができて対象魚の集約的な釣魚が可能となる。
【図面の簡単な説明】
【００１９】
【図１】本発明の一実施例による釣り仕掛けの全構成を示した側面概念図である。
【図２】本発明の多様な実施例による釣り仕掛けの要部を拡大して示した部分拡大側面概念図である。
【図３】本発明の多様な実施例による釣り仕掛けの要部を拡大して示した部分拡大側面概念図である。
【図４】本発明の多様な実施例による釣り仕掛けの要部を拡大して示した部分拡大側面概念図である。
【図５】本発明の一実施例による釣り仕掛けの要部である間隔決定ユニットの固定具を図２のＢ時点で見た断面概念図である。
【図６】（ａ）〜（ｃ）は、本発明の一実施例による釣り仕掛けの要部である間隔決定ユニットの固定具を本線及び追加本線に装着する過程を順次に示した断面概念図である。
【発明を実施するための形態】
【００２０】
本発明の利点及び特徴、そしてそれらを達成する方法は添付図面に基づいて詳細に説明する実施例から明らかになるであろう。
【００２１】
しかし、本発明は以下に開示する実施例に限定されるものではなく、互いに異なる多様な形態に具現可能であろう。
【００２２】
この明細書において、この実施例は本発明の完全な開示のためのもので、本発明が属する技術分野で通常の知識を持った者に発明の範疇を完全に知らせるために提供するものである。
【００２３】
そして、本発明はただ請求項の範疇によって定義されるばかりである。
【００２４】
したがって、下記の実施例において、周知の構成要素、動作、及び技術は本発明があいまいに解釈されることを避けるために具体的に説明しない。
【００２５】
また、明細書全般にわたって同一参照符号は同一構成要素を指示し、この明細書で使用された用語は実施例を説明するためのもので、本発明を制限しようとするものではない。
【００２６】
本明細書において、単数型は特に他の指示がない限り、複数型も含み、‘含む（または備える）’で言及した構成要素及び動作は一つ以上の他の構成要素及び動作の存在または追加を排除しない。
【００２７】
他の定義がなければ、本明細書で使われるすべての用語（技術及び科学的用語を含み）は本発明が属する技術分野で通常の知識を持った者に共通して理解可能な意味として使うことが可能であろう。
【００２８】
また、一般に使われる前もって定義されている用語は、特に定義しない限り、理想的にあるいは過度に解釈されない。
【００２９】
以下、添付図面を参照して本発明の好適な実施例について説明する。
【００３０】
図１は本発明の一実施例による釣り仕掛けの全構成を示した側面概念図、図２〜図４は本発明の多様な実施例による釣り仕掛けの要部を拡大して示した部分拡大側面概念図である。
【００３１】
ここで、未説明符号１２及び２２は釣り針を示す。
【００３２】
本発明は、本線１０、連結具１５、枝線１１、追加枝線２１及び間隔決定ユニットＳを含む構造であることを把握することができる。
【００３３】
本線１０は後述する連結具１５及び枝線１１などを備えたものである。
【００３４】
連結具１５は本線１０の両端部に取り付けられ、重りまたは本線１０とは別個である追加本線２０を連結するものである。
【００３５】
枝線１１の一端部は本線１０に沿ってそれぞれ第１間隔（Ｌ１）で配置され、他端部は釣り針を備えた複数の部材である。
【００３６】
追加枝線２１の一端部は追加本線２０に沿ってそれぞれ第１間隔（Ｌ１）で配置され、他端部は釣り針を備えた複数の部材である。
【００３７】
ここで、枝線１１と追加枝線２１は本線１０及び追加本線２０と同一の釣り糸であることができる。
【００３８】
間隔決定ユニットＳは、本線１０の端部に備えられた連結具１５に隣り合う枝線１１の一端部と、連結具１５に着脱可能に追加本線２０の端部に備えられた締結具２５に隣り合う追加枝線２１の一端部との間の間隔が第１間隔（Ｌ１）と同じな第２間隔（Ｌ２）となるように、本線１０及び追加本線２０の長手方向に沿って移動可能なものである。
【００３９】
したがって、本発明は、本線１０に追加本線２０を連結して使っても、本線１０に連結された追加本線２０において、締結具２５と追加枝線２１の一端部との距離（Ｌ４、後述する‘第４間隔’）及び連結具１５と枝線１１の一端部との距離（Ｌ３、後述する‘第３間隔’）を第１間隔（Ｌ１）とほぼ同じな第２間隔（Ｌ２）となるように間隔決定ユニットＳが補助するので、枝線１１及び追加枝線２１を一定の間隔で装着することができるようにして対象魚の集約的な釣魚が可能となる。
【００４０】
本発明は前記のような実施例の適用が可能であり、次のような多様な実施例の適用も可能であるのは言うまでもない。
【００４１】
まず、間隔決定ユニットＳは、図２〜図４のように、本線１０及び追加本線２０に備えられ、枝線１１及び追加枝線２１が連結可能な連結子３０と、連結子３０の両側または一側に備えられ、連結子３０が本線１０及び追加本線２０に沿って移動することを制限する固定子４０とを含むことが分かる。
【００４２】
具体的に説明すれば、間隔決定ユニットＳは、図２のように、第１及び第２連結子３１、３２と、固定子４０とを含む。
【００４３】
第１連結子３１は本線１０に備えられ、枝線１１が連結できるようにし、第２連結子３２は追加本線２０に備えられ、追加枝線２１が連結できるようにする。
【００４４】
固定子４０は第１及び第２連結子３１、３２の両側または一側にそれぞれ備えられ、第１及び第２連結子３１、３２が本線１０及び追加本線２０に沿って移動することを制限するものである。
【００４５】
ここで、連結具１５の端部と、連結具１５に隣り合う枝線１１の一端部との間の第３間隔（Ｌ３）は、締結具２５の端部と締結具２５に隣り合う追加枝線２１の一端部との間の第４間隔（Ｌ４）より小さい。
【００４６】
この際、第１連結子３１は連結具１５と固定子４０の間に配置され、第２連結子３２は一対の固定子４０の間に配置され、第１連結子３１と第２連結子３２は第２間隔（Ｌ２）で配置できる。
【００４７】
そして、間隔決定ユニットＳは、図３のように、第１及び第２連結子３１、３２と固定子４０とを含み、連結具１５の端部と連結具１５に隣り合う枝線１１の一端部との間の第３間隔（Ｌ３）は、締結具２５の端部と、締結具２５に隣り合う追加枝線２１の一端部との間の第４間隔（Ｌ４）より大きい。
【００４８】
ここで、第１連結子３１は一対の固定子４０の間に配置され、第２連結子３２は締結具２５と固定子４０との間に配置され、第１連結子３１と第２連結子３２は第２間隔（Ｌ２）で配置されることもできる。
【００４９】
また、間隔決定ユニットＳは、図４のように、第１及び第２連結子３１、３２と、固定子４０とを含み、連結具１５の端部と連結具１５に隣り合う枝線１１の一端部との間の第３間隔（Ｌ３）は、締結具２５の端部と締結具２５に隣り合う追加枝線２１の一端部との間の第４間隔（Ｌ４）より小さいとか大きい。
【００５０】
ここで、第１及び第２連結子３１、３２は一対の固定子４０の間に配置され、第１連結子３１と第２連結子３２は第２間隔（Ｌ２）で配置されることもできるのは言うまでもない。
【００５１】
したがって、固定子４０は第３間隔（Ｌ３）及び第４間隔（Ｌ４）の大きさ、つまり連結具１５または締結具２５の端部から枝線１１及び追加枝線２１の一端部までの距離によって第１及び第２連結子３１のそれぞれの両側または一側に適宜位置を調整することができるように移動して固定することにより、第１及び第２連結子３１、３２のそれぞれが本線１０及び追加本線２０の形成方向に沿って動くことを一定範囲内で制限することができる。
【００５２】
一方、固定子４０は、図５及び図６のように、一側端部は互いにヒンジ連結され、他側端部は開閉可能であり、互いに結合されて本線１０及び追加本線２０に密着して固定する一対の固定本体４１と、一対の固定本体４１の一方に備えられ、一対の固定本体４１の他方に着脱可能に結合する固定具４３とを含む構造であることを把握することができる。
【００５３】
一対の固定本体４１は互いに結合し、全体として球状、楕円球状、円柱状または角柱状を成すことができるのは言うまでもない。
【００５４】
固定本体４１は、図５に詳細に示すように、固定具４３を備えた第１片４１ａと、第１片４１ａの形成方向に沿って第２片４１ｂと対向する面に陷沒した第１溝４１ｇと、第１片４１ａの一側端に回動可能に結合される第２片４１ｂと、第２片４１ｂの形成方向に沿って第１片４１ａと対向する面に陷沒した第２溝４２ｇとを含む構造であることが分かる。
【００５５】
したがって、第１及び第２片４１ａ、４１ｂが互いに結合して第１溝４１ｇと第２溝４２ｇがそれぞれ本線１０及び追加本線２０に密着するものである。
【００５６】
固定具４３は、図示のように、延長棒４３ａ、延長孔部４３ｂ、固定膨出部４３ｃ、固定収容部４３ｄ、臨時固定棒４３ｅ、及び最終固定孔部４３ｆを含む構造であることを把握することができる。
【００５７】
延長棒４３ａは一対の固定本体４１の一方、つまり第１片４１ａから突出して屈曲可能なものである。
【００５８】
固定膨出部４３ｃは延長棒４３ａの端部に設けられ、延長棒４３ａの直径より大径を持つものである。
【００５９】
臨時固定棒４３ｅは固定膨出部４３ｃの端部から伸び、延長孔部４３ｂ及び固定収容部４３ｄに一時固定されるものである。
【００６０】
延長孔部４３ｂは延長棒４３ａの形状に対応するように一対の固定本体４１の他方、つまり第２片４１ｂに形成されたものである。
【００６１】
固定収容部４３ｄは固定膨出部４３ｃの形状に対応するように延長孔部４３ｂの端部から延設され、一対の固定本体４１の他方に形成されたものである。
【００６２】
最終固定孔部４３ｆは臨時固定棒４３ｅの形状に対応するように固定収容部４３ｄから延設されたものである。
【００６３】
すなわち、延長棒４３ａ、固定膨出部４３ｃ及び臨時固定棒４３ｅは、全体として‘孔’の構造を成す延長孔部４３ｂ、固定収容部４３ｄ及び最終固定孔部４３ｆに対応して全体として‘突起’形状を成すものである。
【００６４】
したがって、使用者は、図６（ａ）のように、臨時固定棒４３ｅを延長孔部４３ｂ側に向けて照準し、第１及び第２溝４１ｇ、４２ｇを本線１０及び追加本線２０に合わせた後、図６（ｂ）のように、臨時固定棒４３ｅを延長孔部４３ｂに挿入した状態で本線１０及び追加本線２０の長手方向に沿って適切にその位置を移動させることができる。
【００６５】
その後、使用者は、第１及び第２片４１ａ、４１ｂが互いに密着するように力を加え、図６（c）のように、延長棒４３ａ、固定膨出部４３ｃ及び臨時固定棒４３ｅが延長孔部４３ｂ、固定収容部４３ｄ及び最終固定孔部４３ｆと圧入方式（ｐｒｅｓｓｆｉｔ ｔｙｐｅ）で結合するようにすれば、本線１０及び追加本線２０の一定の位置に固定具４０が固定できる。
【００６６】
ここで、第１及び第２溝４１ｇ、４２ｇには、場合によって本線１０及び追加本線２０の一定の位置に堅固な固定状態が維持されるように、高摩擦抵抗の素材を備えるとか塗料を塗布するとかあるいは第１及び第２溝４１ｇ、４２ｇの表面に粗さ加工して摩擦抵抗を高めるなどの応用及び変形設計を行うこともできるのは言うまでもない。
【００６７】
以上のように、本発明は本線に追加本線を連結して使っても、枝線及び追加枝線を一定の間隔で装着することができるようにした釣り仕掛けを提供することを基本的な技術的思想とする。
【００６８】
そして、本発明の基本的な技術的思想の範疇内で、当該技術分野で通常の知識を持った者によって他の多くの変形及び応用も可能であるのは言うまでもない。
【産業上の利用可能性】
【００６９】
本発明は、本線に追加本線を連結して使っても枝線及び追加枝線を一定の間隔で装着することができる釣り仕掛けに適用可能である。
【符号の説明】
【００７０】
１０    本線
１１    枝線
１５    連結具
２０    追加本線
２１    追加枝線
３０    連結子
３１    第１連結子
３２    第２連結子
４０    固定子
４１    固定本体
４１ａ  第１片
４１ｇ  第１溝
４１ｂ  第２片
４１ｃ  補強の方
４２ｇ  第２溝
４３    固定具
４３ａ  延長棒
４３ｂ  延長孔部
４３ｃ  固定膨出部
４３ｄ  固定収容部
４３ｅ  臨時固定棒
４３ｆ  最終固定孔部
Ｌ１    第１間隔
Ｌ２    第２間隔
Ｌ３    第３間隔
Ｌ４    第４間隔
Ｓ    間隔決定ユニット
【要約】
【課題】本線に追加本線を連結して使っても枝線及び追加枝線を一定の間隔で装着することができる釣り仕掛けを提供する。
【解決手段】本線；前記本線の両端部に取り付けられ、重りまたは前記本線とは別個の追加本線を連結する連結具；一端部が前記本線に沿ってそれぞれ第１間隔で配置され、他端部が釣り針を備えた複数の枝線；一端部が前記追加本線に沿ってそれぞれ第１間隔で配置され、他端部が釣り針を備えた複数の追加枝線；及び前記本線の端部に備えられた連結具に隣り合う前記枝線の一端部と前記連結具に着脱可能に結合するように前記追加本線の端部に備えられた締結具に隣り合う前記追加枝線の一端部との間の間隔が前記第１間隔と同じな前記第２間隔となるように、前記本線及び前記追加本線の長手方向に沿って移動可能な間隔決定ユニット；を含む。
【選択図】図１【図１】
0005905548.tif 000002
【図２】
0005905548.tif 000003
【図３】
0005905548.tif 000004
【図４】
0005905548.tif 000005
【図５】
0005905548.tif 000006
【図６】
0005905548.tif 000007